(57)【要約】【課題】  複数のスイッチが並置されているフットスイッチの踏み込み間違いを防止すること。【解決手段】  複数のスイッチ９１、９２が並置されているフットスイッチ装置９０において、間違って踏むと支障を生ずる方のスイッチ本体の上面に、空間部９４を覆うように弾性体で形成される障害物９５を配置したもので、障害物を踏み込むことによってスイッチ本体を動作させる。  これにより、操作者は一旦障害物に足を乗せることによって所望のスイッチに足が乗ったことを確認し、その上でスイッチのオン／オフ操作を実施するので、スイッチ操作の安全性を極めて向上することができる。【選択図】      図３
2008036278.tif 000002
【特許請求の範囲】
【請求項１】
操作者が足で踏み込むことによってオンまたはオフ動作を行うフットスイッチ装置において、
スイッチ本体と、
このスイッチ本体の上面に配置した弾性体で形成される障害物と
を備え、前記障害物を踏み込むことによって前記スイッチ本体を動作させることを特徴とするフットスイッチ装置。
【請求項２】
前記障害物が弾性変形する荷重は、前記スイッチ本体の動作荷重よりも小さいことを特徴とする請求項１に記載のフットスイッチ装置。
【請求項３】
前記スイッチ本体は複数個並置されていて、その中の１つに前記障害物が配置されていることを特徴とする請求項１または請求項２のいずれか１項に記載のフットスイッチ装置。
【請求項４】
被検体に対して低線量Ｘ線と高線量Ｘ線とを切り替えて照射することの可能なＸ線診断装置において、
操作者が足で踏み込むことによってオンまたはオフ動作を行う、低線量照射用スイッチおよび高線量照射用スイッチの並置されたフットスイッチ装置と、
このフットスイッチ装置の前記高線量照射用スイッチの上面に配置した弾性体で形成される障害物と
を備え、前記障害物を踏み込むことによって前記高線量照射用スイッチを動作させることを特徴とするＸ線診断装置。
【発明の詳細な説明】
【技術分野】
【０００１】
本発明は、操作者が足で踏み込むことによってオンまたはオフ動作を行うフットスイッチ装置およびこのようなフットスイッチ装置を備えたＸ線診断装置に関する。
【背景技術】
【０００２】
被検体に対してＸ線を照射して透視および撮影を行うＸ線診断装置は良く知られている。ここでＸ線はＸ線管から生ずるものであり、透視は弱いＸ線を生じさせてそれを被検体へ連続的に照射（低線量照射）して、病変部位の探索などのために使用される。また撮影は、透視によって見つけた病変部位などをより詳細に観察するために、強いＸ線を被検体へ照射（高線量照射）して、より鮮明なＸ線画像を得るために使用される。そのために、低線量照射を一旦停止させて高線量照射に切り替えて鮮明なＸ線画像を観察し、その後低線量照射による透視に戻すような操作が頻繁に行われる。
【０００３】
ところで、Ｘ線診断装置を用いて循環器系の診断や処置を講ずる際には、数名の医師や技師がチームを組んで対処することになる。すなわち、被検体の載置されている寝台の位置を調整したり、被検体の観察部位に合わせてＸ線管やＸ線検出器を回転させたりする操作を担当する補助的な役割を担う者と、透視像を観察しながら被検体に挿入するカテーテルやガイドワイヤを操作する者（術者）が居り、この術者が低線量照射と高線量照射の切り替えを実施してＸ線画像を観察しながらカテーテルやガイドワイヤを操作している。従って、術者はカテーテルやガイドワイヤを操作するために両手が塞がっているので、足で踏み込むことによってオンまたはオフ動作を行うフットスイッチ装置を用いて、低線量照射と高線量照射の切り替えを行ない、これによって両手を自由に使えるようにし、所望の画像を観察しながら処置に万全を期すようにしている。
【０００４】
なお、Ｘ線診断装置に備えられるフットスイッチ装置は、透視用スイッチ（低線量照射用スイッチ）と撮影用スイッチ（高線量照射用スイッチ）との２つのスイッチが、通常並置された状態で床上に置かれ、ケーブルなどによってＸ線診断装置と接続されている（例えば、特許文献１参照。）。
【０００５】
このようなフットスイッチ装置の具体例を示すと、図７に示すようなものがある。すなわち図７は、従来からＸ線診断装置に使用されているフットスイッチ装置６０の斜視図であり、このフットスイッチ装置６０は、不用意に踏まれることのないように、凹状空間に仕切板６１を挟んで左側に透視用スイッチ６２と右側に撮影用スイッチ６３とが並置されている。そして、高線量での透視をする際に使用するＨＬＣ透視スイッチ６４やケーブル接続用のコネクタ６５なども設けられている。なお符号６６を付して示したものは、ＨＬＣ透視スイッチ６４やケーブル接続用のコネクタ６５を不用意に踏むことがないように、保護を兼ねて持ち運びに便利なように設けた把手である。
【特許文献１】特開平８−１９１８２９号公報
【発明の開示】
【発明が解決しようとする課題】
【０００６】
ところで、２つのスイッチが並置された状態で床上に置かれたフットスイッチ装置６０を操作する際に、操作者（術者を含む）にとって操作しようとするスイッチがどこにあるかをいちいち確認するのが煩わしいという問題があった。また、Ｘ線診断装置を操作している際に、透視用スイッチ（低線量照射用スイッチ）６２なのか撮影用スイッチ（高線量照射用スイッチ）６３なのかを目視で確認できない状況にある場合もあり、この場合は、確認しないまま感を頼りに踏み込み操作をすることがあった。さらに、透視用スイッチ６２、撮影用スイッチ６３とも、操作者が足で踏み込んだ際の感触は同じに作られていたので、足で踏み込んだだけでは、透視用スイッチ６２なのか撮影用スイッチ６３なのかを判断することが困難だった。
【０００７】
そして、Ｘ線診断装置のフットスイッチ装置６０を操作する際に、透視用スイッチ６２を撮影用スイッチ６３と間違えて踏み込み操作をした場合には、無用なＸ線画像を得ることになり、かつ被検体を余計なＸ線被曝に晒すことになるという問題につながるものであった。
【０００８】
本発明はこのような問題を解決するためになされたものである。
【課題を解決するための手段】
【０００９】
上述の課題を解決するため、請求項１に記載の発明は、操作者が足で踏み込むことによってオンまたはオフ動作を行うフットスイッチ装置において、スイッチ本体と、このスイッチ本体の上面に配置した弾性体で形成される障害物とを備え、前記障害物を踏み込むことによって前記スイッチ本体を動作させることを特徴とする。
【００１０】
また、請求項２に記載の発明は、請求項１に記載のフットスイッチ装置において、前記障害物が弾性変形する荷重は、前記スイッチ本体の動作荷重よりも小さいことを特徴とする。
【００１１】
また、請求項３に記載の発明は、請求項１または請求項２のいずれか１項に記載のフットスイッチ装置において、前記スイッチ本体は複数個並置されていて、その中の１つに前記障害物が配置されていることを特徴とする。
【００１２】
また、請求項４に記載の発明は、被検体に対して低線量Ｘ線と高線量Ｘ線とを切り替えて照射することの可能なＸ線診断装置において、操作者が足で踏み込むことによってオンまたはオフ動作を行う、低線量照射用スイッチおよび高線量照射用スイッチの並置されたフットスイッチ装置と、このフットスイッチ装置の前記高線量照射用スイッチの上面に配置した弾性体で形成される障害物とを備え、前記障害物を踏み込むことによって前記高線量照射用スイッチを動作させることを特徴とする。
【発明の効果】
【００１３】
上記課題を解決するための手段の項にも示したとおり、本発明の特許請求の範囲に記載する各請求項の発明によれば、次のような効果を奏する。
【００１４】
請求項１に記載の発明によれば、いきなりスイッチの踏み込み操作をしてしまうことなく、操作者は一旦障害物に足を乗せることによって、その感触から所望のスイッチに足が乗ったことを確認することができ、その上でスイッチのオン／オフ操作を実施するので、スイッチ操作の安全性を極めて向上することができる。
【００１５】
請求項２に記載の発明によれば、障害物を設けたスイッチであっても、障害物のない通常のスイッチに対するスイッチ操作に比べて、それほど違和感を与えることなくスイッチ操作が可能である。
【００１６】
請求項３に記載の発明によれば、障害物のない通常のスイッチと、障害物のあるスイッチとが並置されている場合に、目視確認に頼らずに足の感触から、障害物のない通常のスイッチと障害物のあるスイッチとを確実に区別して認識することができる。
【００１７】
請求項４に記載の発明によれば、低線量照射（透視）用スイッチと高線量照射（撮影）用スイッチの並置されたフットスイッチ装置を備えたＸ線診断装置において、高線量照射用スイッチ側に障害物を設置しておくことにより、操作者は高線量照射用スイッチを目視確認に頼らずに足の感触から確実に高線量照射用スイッチであることを認識することができるので、低線量照射用スイッチと間違えて高線量照射用スイッチを踏み込んでしまうことが防止でき、被検体に対して過大のＸ線を照射したり、不要なＸ線画像を得たりするようなことを防止することができる。
【発明を実施するための最良の形態】
【００１８】
以下、本発明に係るフットスイッチ装置およびＸ線診断装置の実施例について、図１ないし図６を参照して詳細に説明する。
【００１９】
そこで先ず、本発明の実施の形態におけるＸ線診断装置の基本的な構成について、図１を参照して説明する。なお、図１はＸ線診断装置全体の概略構成を示したブロック図である。
【００２０】
Ｘ線診断装置１００は、被検体４５に対してＸ線を照射するＸ線発生部１と、被検体４５を透過したＸ線を２次元的に検出するＸ線検出部２と、前記Ｘ線発生部１とＸ線検出部２を例えばＣ字形に形成されたアームによって両者が対向する向きに保持する保持アーム５と、被検体４５を載せる寝台（天板）１７とを備えている。
【００２１】
また、Ｘ線診断装置１００は、保持アーム５や寝台１７を移動させる機構部３と、機構部３の各機構を制御する機構制御部６と、Ｘ線検出部２によってライン単位で検出されるＸ線画像データを1枚の画像データとして保存するとともに、画像間のサブトラクション演算などを行なう画像演算・記憶部７を備えている。
【００２２】
更に、Ｘ線診断装置１００は、画像演算・記憶部７に保存されているＸ線画像データを表示する表示部８と、透視／撮影などの動作条件に応じてＸ線発生部１に必要な高電圧を印加する高電圧発生部４と、上記各ユニットを制御するシステム制御部１０と、Ｘ線診断装置１００を操作する例えばＸ線技師などの操作者がこのＸ線診断装置１００に対して種々の指示を与えるための操作部９を備えている。
【００２３】
Ｘ線発生部１は、被検体４５に対しＸ線を放射するＸ線管１５と、このＸ線管１５から放射されたＸ線をコリメートするＸ線絞り器１６を備えている。Ｘ線管１５はＸ線を発生する真空管であり、陰極（フィラメント）より放出された電子を高電圧によって加速させてタングステン陽極に衝突させＸ線を発生させる。一方、Ｘ線絞り器１６は、Ｘ線管１５と被検体４５の間に位置し、拡大撮影の場合には、Ｘ線管１５から放射されたＸ線ビームを拡大撮影領域のサイズに絞り込む機能を有している。
【００２４】
Ｘ線検出部２は、被検体４５を透過したＸ線を電荷に変換して蓄積する平面検出器２１と、この平面検出器２１に蓄積された電荷をＸ線画像信号として読み出すためのゲートドライバ２２と、読み出された電荷を画像データに変換する画像データ生成部１１とを備えている。この画像データ生成部１１は、平面検出器２１から読み出された電荷を電圧に変換する電荷・電圧変換器２３と、この電荷・電圧変換器２３の出力をデジタル信号に変換するＡ／Ｄ変換器２４と、平面検出器２１からライン単位でパラレルに読み出される画像信号をシリアルな信号に変換するパラレル・シリアル変換器２５とを備えている。
【００２５】
機構部３は、Ｘ線発生部１及びＸ線検出部２を被検体４５の周囲で回転させて撮影断面を設定するために保持アーム５を回転移動させる保持アーム移動機構４１と、Ｘ線発生部１及びＸ線検出部２を被検体４５の体軸方向に対して相対的に移動させて撮影断面を設定するために寝台１７の移動を行なう寝台移動機構４２を備えている。なお、保持アーム移動機構４１によって保持アーム５を被検体４５の周囲に回転移動させたときの、Ｘ線発生部１及び／またはＸ線検出部２の位置（角度）は、内部に設けられたエンコーダによって検出され出力される。
【００２６】
高電圧発生部４は、Ｘ線管１５の陰極から発生する熱電子を加速するために、Ｘ線管１５の陽極と陰極の間に印加する高電圧を発生させる。通常は、インバータ方式により８０ＫＷ乃至１００ＫＷの大出力容量を有している。
【００２７】
機構制御部６は、システム制御部１０からの制御信号によって機構部３の保持アーム移動機構４１及び寝台移動機構４２を制御する。また機構部３に設けられたエンコーダ出力信号を受け、保持アーム５の回転位置（すなわち、被検体４５の体軸に対するＸ線発生部１及び／またはＸ線検出部２の角度）や、寝台１７の位置（即ち被検体４５とＸ線発生部１及びＸ線検出部２との相対位置）の検出を行なう位置検出器を備えている。
【００２８】
画像演算・記憶部７は、画像データ生成部１１からシリアルに送られてくる所定部位のマスク画像データを保存するマスク画像データ記憶回路、コントラスト画像データを保存するコントラスト画像データ記憶回路、Ｘ線を照射しない場合に得られる画像データ（暗時画像データとも言う）を保存する暗時画像データ記憶回路、更にはサブトラクション後の画像データを保存するサブトラクション画像データ記憶回路などから構成される画像データ記憶回路１３と、この画像データ記憶回路１３にて保存された所定部位のマスク画像データやコントラスト画像データと暗時画像データとのサブトラクション、更には、上記暗時画像データとのサブトラクション後のマスク画像データ（補正マスク画像データ）とコントラスト画像データ（補正コントラスト画像データ）とのサブトラクションなどを行なう画像演算回路１２を備えている。
【００２９】
表示部８は、画像演算・記憶部７において生成されたマスク画像、コントラスト画像、サブトラクション画像の中の所望の画像データと、この画像データの付帯情報である数字や各種文字などを合成して一旦保存する表示用画像メモリ３１と、このＸ線画像データや付帯情報をアナログ信号に変換するＤ／Ａ変換器３２と、このアナログ信号をＴＶフォーマット変換して映像信号を生成する表示回路３３と、前記映像信号を表示する液晶、あるいはＣＲＴのモニタ３４から構成される。
【００３０】
操作部９はキーボード、各種スイッチ、マウス等を備えたインターラクティブなインターフェースであり、装置の操作者は操作部９において、撮影の各種条件や検査の開始、機構部３の移動制御などのコマンド信号を入力し、これらのコマンド信号はシステム制御部１０を介して各ユニットに送られる。また、各種スイッチには、透視（低線量照射）のオン／オフ、撮影（高線量照射）のオン／オフ操作を行うためのフットスイッチ装置９０が含まれている。なお操作部９は、被検体４５に注入した造影剤の移動速度に合わせて保持アーム５の回転速度の指示や、寝台１７の移動速度あるいは移動方向の指示を行なう機能を有している。
【００３１】
システム制御部１０は、ＣＰＵと記憶回路を備え、操作部９から送られてくる操作者の指示や撮影条件などの情報を一旦記憶した後、これらの情報に基づいて透視／撮影の切り替え制御、Ｘ線画像データの収集や表示の制御、あるいは移動機構に関する制御などシステム全体の制御を行なう。また、前記記憶回路には、Ｘ線を照射しない状態で得られる装置固有の暗時画像データが予め保存されている。
【００３２】
次に、本発明に係るフットスイッチ装置９０の実施例について説明する。
【００３３】
図２は、本発明におけるフットスイッチ装置９０の考え方を説明するために示したものであり、図２（ａ）は例えば透視（低線量照射）用スイッチを、図２（ｂ）は例えば撮影（高線量照射）用スイッチを夫々模式的に側面図で示している。すなわち、透視（低線量照射）用スイッチ９１は、略Ｖ字形に形成されたスイッチ本体９３から成り、このスイッチ本体９３を矢印で示すように上方から踏み込むことによって、内部に設けられているスイッチ（図示せず）がオン／オフ動作するものである。
【００３４】
一方、撮影（高線量照射）用スイッチ９２は、透視用スイッチ９１と同様の略Ｖ字形に形成されたスイッチ本体９３を備えるとともに、スイッチ本体９３の上方に形成される所望の空間部９４を覆うように、弾性体から成る障害物９５を配置するように構成している。従って、この障害物９５を矢印で示すように上方から踏み込むことによって、障害物９５が変形しながらスイッチ本体９３を押圧し、スイッチ本体９３内部の図示しないスイッチがオン／オフ動作するものである。なおこの場合、空間部９４を含めてスイッチ本体９３の高さの２倍程度の高さに押さえるように障害物９５を配置している。ちなみに、スイッチ本体９３の高さが例えば３〜５ｃｍあるとすれば、障害物９５を含めた撮影用スイッチ９２全体の高さは１０ｃｍ程度かそれ以下となる。
【００３５】
このように本発明のフットスイッチ装置９０では、特に撮影用スイッチ９２を踏み込むときには、先ず障害物９５に足が乗ることになるので、透視用スイッチ９１とは異なる感触を操作者の足に与えることになり、確実に撮影用スイッチ９２を捉えたことを操作者に認識させることができる。従って、万一透視用スイッチ９１のつもりで撮影用スイッチ９２に足を乗せたときには、即座に間違いであることに気づかせてそれ以上の踏み込みを中止させることが可能となる。勿論、感触の違いから撮影用スイッチ９２であることを理解すればそのまま踏み込みを続けることによって、所望の撮影用スイッチ９２の操作は可能である。
【００３６】
図３は、このような考えの下での、本発明に係るフットスイッチ装置の一実施例を示した斜視図であり、これは、Ｘ線診断装置に使用されるフットスイッチ装置９０であって、図２と同一部分には同一符号を付して示してある。
【００３７】
すなわち、透視（低線量照射）用スイッチ９１、撮影（高線量照射）用スイッチ９２共スイッチ本体９３の構造は同じであるが、撮影用スイッチ９２に対しては例えばスイッチ本体９３の上面に所望の空間部９４を置いてこれを覆うよう弾性体から成る障害物９５を配置している。この障害物９５としては、スイッチ本体９３を動作させるときの押圧力に比べて、柔らかく、弾力性を有し、スイッチ本体９３を押圧する力よりも小さい力で弾性変形するものが好ましく、さらに、上方から踏み込まれたときに、スイッチ本体９３に接触するまで弾性変形が続くような材料で形成されていることが好ましい。また障害物９５は、予め撮影用スイッチ９２となるべきスイッチ本体９３に固定的に取り付けられていてもよいが、着脱可能に取り付けられるものでもよい。さらに、撮影用スイッチ９２に対して着脱が可能なように、フットスイッチ装置９０の筐体に設けてもよい。さらに、本実施例では障害物９５を半円形のものとして、撮影用スイッチ９２のスイッチ本体９３上を空間的に覆うように設けたが、形状は箱型、Ｌ字形など適宜の形状であってよい。
【００３８】
なお、図３に符号９６を付して示したものはＨＬＣ透視スイッチ、符号９７を付して示したものはケーブル接続用のコネクタ、符号９８を付して示したものはＨＬＣ透視スイッチ９６やケーブル接続用のコネクタ９７を不用意に踏むことがないように、保護を兼ねて持ち運びに便利なように設けた把手、９９は透視用スイッチ９１と撮影用スイッチ９２との間を仕切った仕切板である。
【００３９】
次に、本発明に係るフットスイッチ装置を備えたＸ線診断装置を用いて、透視（低線量照射）と撮影（高線量照射）を行う時の操作者の操作について、図４ないし図６に示したフローチャートを参照して説明する。
【００４０】
図４は、透視（低線量照射）時における操作者の操作手順を示したフローチャートである。操作者は、透視をしようとするときは、先ず自分の足を動かして（ステップ１）透視用スイッチ９１の上に足を乗せる（ステップ２）。次いで、その透視用スイッチ９１を踏み込む（ステップ３）。これによって透視用スイッチ９１が作動し、透視用スイッチ９１からの透視オン信号が操作部９へ伝達され、システム制御部１０の制御下でＸ線診断装置は透視を開始する（ステップ４）ことになり、操作者が透視用スイッチ９１から足を離せば透視用スイッチ９１はオフとなり、透視オフ信号が操作部９へ伝達されて透視（低線量照射）が停止することになる。
【００４１】
一方、図５は、撮影（高線量照射）時における操作者の操作手順を示したフローチャートである。操作者は、表示部８のモニタ３４（図１参照）に表示されている透視画像を観察しながら手技を実施していて、より鮮明なＸ線画像を観察したいと思ったときに、自分の足を動かして（ステップ１１）撮影用スイッチ９２の上にその足を乗せる（ステップ１２）。このとき操作者の足は障害物９５の上に乗るので、その感触から操作者は撮影用スイッチ９２の上に足が乗ったことに気づく（ステップ１３）。そこで操作者は、撮影（高線量照射）してよいか否かを判断し（ステップ１４）、撮影（高線量照射）するつもりであった（ＹＥＳ）のならそのまま障害物９５を踏み込む（ステップ１５）と撮影用スイッチ９２が動作する（ステップ１６）。
【００４２】
よって、撮影用スイッチ９２から撮影オン信号が操作部９へ伝達され、システム制御部１０の制御下でＸ線診断装置は撮影（高線量照射）を実施する（ステップ１７）。なお、撮影用スイッチ９２から足を離せば、撮影用スイッチ９２はオフとなり、撮影オフ信号が操作部９へ伝達され、システム制御部１０の制御下でＸ線診断装置は撮影（高線量照射）を停止することになる。
【００４３】
ところで、操作者が透視用スイッチ９１を踏むつもりでいたのに、誤ってステップ１２において撮影用スイッチ９２の上に足が乗ってしまったときには、ステップ１３において、障害物９５の感触から操作者が撮影用スイッチ９２の上に足が乗っており、透視用スイッチ９１ではないことに気づくことができる。このときには、ステップ１４において撮影（高線量照射）するつもりではなかった（ＮＯ）と判断できるので、撮影用スイッチ９２上の障害物９５から足を離す（ステップ１８）ことによって、実行するつもりのなかった間違った撮影（高線量照射）を未然に防止することができる。
【００４４】
さて、図４、図５のフローチャートは、操作者の操作手順を表したものであるが、撮影用スイッチ９２上の障害物９５からみた場合の、操作の流れを示すと図６のフローチャートのようになる。
【００４５】
すなわち、障害物９５の上に操作者の足が触れる（ステップ２１）と、障害物９５は踏まれて少し窪むことになる（ステップ２２）。この障害物９５の反力によって、操作者は撮影用スイッチ９２の上に足を乗せたことを認識することになる。そこで、操作者が撮影用スイッチ９２を踏もうとしていたのであれば、正しく撮影用スイッチ９２を足で選択したので、そのまま障害物９５は踏み込まれ続ける（ステップ２３）ので、障害物９５は弾性変形しながら、遂には撮影用スイッチ９２を押圧してオンさせて（ステップ２４）、撮影を開始させる。
【００４６】
しかしながら、ステップ２２の段階で操作者が撮影用スイッチ９２を踏もうとしていたのではない（透視用スイッチ９１を踏もうとしていた）という間違いに気づけば、操作者の足が障害物９５から離れる（ステップ２５）ので、障害物９５は元の状態に復帰することとなって撮影用スイッチ９２がオンになることはない（ステップ２６）。
【００４７】
以上詳述したように本発明によれば、複数のスイッチが並置されているフットスイッチ装置９０において、間違って踏むと支障を生ずる方のスイッチに、障害物９５を配置するようにしたものである。よって、操作者がその障害物９５を踏んだときの感触から、どのスイッチを踏んだかどうかを目視によらず確認することができ、操作を安全、確実にすることができる。そして、障害物９５を踏んだことによって、所望のスイッチであることを認識したときは、そのまま踏み込みを続けることによって、所定のスイッチ操作が可能となり、操作者の足の移動経路を限定することなく操作が極めて容易となる効果を奏する。そして、このようなフットスイッチ装置９０をＸ線診断装置１００に適用することにより、透視（低線量照射）用スイッチ９１のつもりで撮影（高線量照射）用スイッチ９２を踏み込んでしまって、被検体に無用な過大のＸ線を照射するような不都合を防止して、被検体を保護することができる。
【００４８】
本発明は上述の実施例に限定されることなく、要旨の範囲内で種々の形態で実施することが可能である。例えば、３つ以上のスイッチ本体が並置されたものにも本発明を実施して同様の効果を奏することができる。すなわち、Ｘ線診断装置において、２方向からの透視撮影が可能なように、Ｘ線発生部とＸ線検出部とを２系統備えたものがある。このようなＸ線診断装置に適用されるフットスイッチ装置は、２つの透視（低線量照射）用スイッチと１つの撮影（高線量照射）用スイッチを備えている。従って、撮影用スイッチにのみ前述の実施例と同様に障害物を設けることにより、透視用スイッチを踏もうとして撮影用スイッチを踏み込んでしまうような不都合を防止することができる。
【００４９】
また、Ｘ線診断装置１００として、Ｘ線検出部２に平面検出器２１を用いたものについて説明したが、平面検出器２１に代えてイメージインテンシファイアー（Ｉ．Ｉ．）とテレビカメラをＸ線検出部とするものであっても、本発明を適用できることは言うまでもない。
【図面の簡単な説明】
【００５０】
【図１】Ｘ線診断装置全体の概略構成を示したブロック図である。
【図２】本発明に係るフットスイッチ装置の一実施例の、考え方を説明するために示した模式的な側面図である。
【図３】本発明に係るフットスイッチ装置の一実施例を示した斜視図である。
【図４】Ｘ線診断装置による透視時における操作者の操作手順を示したフローチャートである。
【図５】Ｘ線診断装置による撮影時における操作者の操作手順を示したフローチャートである。
【図６】本発明における撮影用スイッチ上の障害物からみた、操作の流れを示したフローチャートである。
【図７】Ｘ線診断装置に使用される従来のフットスイッチ装置の斜視図である。
【符号の説明】
【００５１】
９０  フットスイッチ装置
９１  透視用スイッチ
９２  撮影用スイッチ
９３  スイッチ本体
９４  空間部
９５  障害物
９６  ＨＬＣ透視スイッチ
９７  ケーブル接続用のコネクタ
９８  把手
９９  仕切板
【図１】
2008036278.tif 000003
【図２】
2008036278.tif 000004
【図３】
2008036278.tif 000005
【図４】
2008036278.tif 000006
【図５】
2008036278.tif 000007
【図６】
2008036278.tif 000008
【図７】
2008036278.tif 000009